【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
前端と、後端と、前記前端と前記後端との間にあって基礎支持体に隣接する光重合性層と、を有する印刷版原版から、凸版印刷版を作製するための方法であって、前記光重合性層は、印刷に適した凸表面を形成するように適合された領域を有し、前記方法は、
ａ）リーダを、前記原版の前記前端または前記後端の一方に対して延伸する関係で、前記光重合性層の反対側の前記基礎支持体の外側表面に取り付けるステップであって、前記リーダは、第１端部と、前記第１端部の反対側にあって接着部分を有する第２端部と、を有し、前記原版の前記前端または前記後端の一方が前記リーダの前記接着部分と接触し、このとき前記リーダの前記第１端部は前記原版の前記一方の端部から延伸している、ステップと、
ｂ）前記延伸するリーダを有する前記原版を、前記リーダの前記第１端部を加工装置の支持部材に固定することによって、前記支持部材に取り付けるステップと、
ｃ）前記原版の前記光重合性層を処理し、凸表面を有する印刷版を形成するステップであって、前記光重合性層の面積の９０％超は、印刷に適した前記凸表面を形成するために利用できる、ステップと、
を含む方法。
【請求項２】
支持体と、前記支持体に隣接する光重合性層と、を含む印刷フォーム原版であって、前記光重合性層は、未重合部分と、印刷に適した凸表面を形成するように適合された重合部分と、を有し、前記原版は前端および後端を有し、前記基礎支持体に隣接する前記光重合性層は前記前端と前記後端の間にある、印刷フォーム原版と、
前記原版の前記前端または前記後端の一方に対して延伸する関係のリーダであって、前記光重合性層の反対側の前記支持体の外側表面に接着によって結合された端部を有するリーダと、
を含み、
前記光重合性層の面積の９０％超は、印刷に適した前記重合部分の凸表面を形成するために利用できる、複合型印刷フォーム原版。
【手続補正２】
【補正対象書類名】明細書
【補正対象項目名】００８５
【補正方法】変更
【補正の内容】
【００８５】
像様露光すると、光重合性層の放射線露光領域は不溶状態に転換され、層の未露光領域では著しい重合も架橋も起こらない。いずれかの従来の化学線源をこの露光に使用することができる。放射線源は一般に３１０〜４００ｎｍの長波ＵＶ線を放射する。露光時間は、放射線の強度および分光エネルギー分布、感光要素からのその距離、ならびに光重合性材料の特性および量に応じて、数秒から数分まで変化し得る。像様露光は、別個のフィルム、すなわち画像担持透明紙または光学ツールであり得るか、またはコンピュータ対原版デジタル画像形成によって形成されたインサイチュマスクとして感光性要素と一体化され得る画像担持フォトマスクを介して感光性要素を露光することによって実行可能である。
本発明は以下の実施の態様を含むものである。
１．前端と、後端と、前記前端と前記後端との間にあって基礎支持体に隣接する光重合性層と、を有する印刷版原版から、凸版印刷版を作製するための方法であって、前記光重合性層は、印刷に適した凸表面を形成するように適合された領域を有し、前記方法は、
ａ）リーダを、前記原版の前記前端または前記後端の一方に対して延伸する関係で、前記光重合性層の反対側の前記基礎支持体の外側表面に取り付けるステップであって、前記リーダは、第１端部と、前記第１端部の反対側にあって接着部分を有する第２端部と、を有し、前記原版の前記前端または前記後端の一方が前記リーダの前記接着部分と接触し、このとき前記リーダの前記第１端部は前記原版の前記一方の端部から延伸している、ステップと、
ｂ）前記延伸するリーダを有する前記原版を、前記リーダの前記第１端部を加工装置の支持部材に固定することによって、前記支持部材に取り付けるステップと、
ｃ）前記原版の前記光重合性層を処理し、凸表面を有する印刷版を形成するステップであって、前記光重合性層の面積の９０％超は、印刷に適した前記凸表面を形成するために利用できる、ステップと、
を含む方法。
２．位置合わせインジータと、前記位置合わせインジケータの反対側にありかつ前記位置合わせインジケータからオフセットされた整列用縁部と、を含む固定アセンブリを使用するステップをさらに含み、前記取り付けステップは、
ｉ）前記リーダの前記第１端部を前記固定アセンブリの前記位置合わせインジケータと整列させ、前記接着部分の少なくとも一部分を前記固定アセンブリの前記整列用縁部を越えて延伸させるステップと、
ｉｉ）前記原版の前記端部を前記整列用縁部と整列させるステップと、
ｉｉｉ）前記原版の前記端部の前記外側表面を前記接着部分の前記少なくとも延伸された部分に接触させ、それにより、前記リーダの前記第１端部が前記原版の前記一方の端部から延伸しかつそれと平行な状態で、前記リーダを前記原版に取り付けるステップと、
をさらに含む、前記１．に記載の方法。
３．前記リーダを前記原版に取り付けるための前記固定アセンブリは、ハウジングの長さに沿って配置された１つまたは複数のクランプをさらも含み、前記ハウジングは、前記リーダの前記第１端部を適所に一時的に保持するように適合された、前記２．に記載の方法。
４．前記リーダを前記原版に取り付ける前記ステップは、前記リーダを前記位置合わせインジケータと整列した状態で保持するように前記リーダをクランプするステップをさらに含む、前記３．に記載の方法。
５．ステップｉｉｉ）の後に、
ｉｖ）受け部材を、前記原版の前記一方の端部に隣接する前記原版上に配置するステップであって、前記受け部材は少なくとも平坦な部分を含む形状を有する、ステップと、
ｖ）前記延伸したリーダを有する前記原版の前記一方の端部を前記受け部材の周りで回転させて、少なくとも前記接着部分および前記原版の前記一方の端部が、前記平坦な部分上に存在するようにするステップと、
ｖｉ）前記接着部分を前記原版の裏側に押し付けるステップと、
をさらに含む、前記２．に記載の方法。
６．前記押し付けるステップｖｉ）はローラによるものである、前記５．に記載の方法。
７．前記受け部材はＵ字形である、前記５．に記載の方法。
８．前記リーダの前記第２端部は、前記原版の前記前端に取り付けられる、前記１．に記載の方法。
９．取り付けステップｂ）の前に、第２リーダを前記原版の前記後端に取り付けるステップをさらに含む、前記１．に記載の方法。
１０．前記第２リーダは、第１端部と、前記第１端部の反対側にあって前記原版の前記後端に取り付けられる第２端部と、を有し、前記取付けステップは、前記第２リーダの前記第１端部を前記支持部材に固定するステップをさらに含む、前記９．に記載の方法。
１１．前記リーダの前記第２端部は、接着層を有する接着テープをさらに含み、前記接着層の一部は前記リーダの前記第２端部と接触し、前記接着部分は、前記接着層の前記接触された部分に隣接する、前記１．に記載の方法。
１２．前記リーダの前記第２端部は接着テープをさらに含み、
前記接着テープは、前記リーダから延伸して、前記接着部分を提供し、かつ前記原版の前記端部と前記取り付けられたリーダとの間に架橋を形成する、前記１．に記載の方法。
１３．取付けステップａ）の前に、前記印刷フォーム原版を化学線に像様露光して、それにより、未重合部分と重合部分とを有する前記光重合性層を形成するステップをさらに含む、前記１．に記載の方法。
１４．前記処理ステップは、前記基礎支持体の反対側の前記光重合性層の外側表面を、４０℃〜２３０℃（１０４〜４４６°Ｆ）の温度に加熱して、前記光重合性層の未露光部分の軟化、溶融、または流動を引き起こすステップを含む、前記１．に記載の方法。
１５．ｄ）ステップｃ）から得られた前記印刷版を備えた前記リーダを、前記支持部材から取り外すステップをさらに含む、前記１．に記載の方法。
１６．ｅ）前記得られた印刷版から前記リーダを分離するステップをさらに含む、前記１５．に記載の方法。
１７．スロットを有するハウジングと、前記スロットの開口の反対側の位置合わせインジケータと、前記スロットの開口に隣接しかつ前記位置合わせインジケータの反対側の整列用縁部と、を含む固定アセンブリを使用するステップをさらに含み、前記位置合わせインジケータは前記整列用縁部と平行であり、前記取り付けステップは、
ｉ）前記リーダの前記第１端部を前記固定アセンブリの前記スロットの中に入れて、前記リーダの前記第１端部を前記位置合わせインジケータと整列させるステップと、
ｉｉ）前記固定アセンブリの整列用縁部と整列するように、前記原版の前記端部を位置付けるステップと、
ｉｉｉ）前記原版の前記端部の前記外側表面を前記接着部分と接触させ、それにより、前記リーダの前記第１端部が前記原版の前記一方の端部から延伸しかつそれと平行な状態で、前記リーダを前記原版に取り付けるステップと、
をさらに含む、前記１．に記載の方法。
１８．前記接着部分は剥離フィルムで被覆され、前記剥離フィルムの少なくとも一部を、前記接触ステップｉｉｉ）の前に前記接着部分から剥離するステップをさらに含む、前記１７．に記載の方法。
１９．支持体と、前記支持体に隣接する光重合性層と、を含む印刷フォーム原版であって、前記光重合性層は、未重合部分と、印刷に適した凸表面を形成するように適合された重合部分と、を有し、前記原版は前端および後端を有し、前記基礎支持体に隣接する前記光重合性層は前記前端と前記後端の間にある、印刷フォーム原版と、
前記原版の前記前端または前記後端の一方に対して延伸する関係のリーダであって、前記光重合性層の反対側の前記支持体の外側表面に接着によって結合された端部を有するリーダと、
を含み、
前記光重合性層の面積の９０％超は、印刷に適した前記重合部分の凸表面を形成するために利用できる、複合型印刷フォーム原版。
２０．前記リーダおよび前記原版は、接着層を有する接着テープによって接着結合され、前記接着層は、前記リーダの前記端部、および前記原版の前記前端または前記後端の一方の前記支持体の外側表面と接触する、前記１９．に記載の複合型印刷フォーム原版。
２１．前記リーダに結合された前記端部の反対側にある前記原版の前記前端または前記後端の一方に対して、延伸する関係の第２リーダをさらに含み、前記第２リーダの端部は、前記光重合性層の反対側にある前記支持体の前記外側表面に接着により結合される、前記１９．に記載の複合型印刷フォーム原版。
２２．前記光重合性層の面積の１００％は、印刷に適した前記重合部分の凸表面を形成するために利用できる、前記１９．に記載の複合型印刷フォーム原版。